(57)【要約】【課題】  直列に接続されているフィラメント部の不良を検出し、放電灯の点灯を開始させないようにすることができる放電灯点灯装置を提供することを目的とする。【解決手段】  電源投入時に直列に接続されているフィラメント部であるフィラメントＦ２，Ｆ３、極（３），（４）、及び接続部（７）の不良を検出した場合に放電灯の点灯を開始させないための無負荷検出回路１０９と、放電灯Ｆ２，Ｆ３への点灯用電力供給開始後に、前記直列に接続されているフィラメント部の不良を検出した場合に点灯用電力供給を停止させるフィラメント不良検出回路１０８と、フィラメント不良検出回路１０８から無負荷検出回路１０９への回り込み電流により無負荷検出回路１０９の動作が阻害されることを防止するべく、点灯用電力供給開始後に、フィラメント不良検出回路１０８への動作用電源の供給を開始する直流電圧源１１５とを備えた。【選択図】      図２
2005222893.tif 000002
【特許請求の範囲】
【請求項１】
点灯用のフィラメントを両端に有する複数の放電灯を、前記フィラメントを直列接続することにより放電灯の直列回路として構成し、外部から電力の供給を受け付ける受付部と、前記受付部により受け付けられた電力に基づき、前記放電灯の直列回路に点灯用電圧を供給することにより前記複数の放電灯を発光させる電力供給部と、前記直列に接続されているフィラメント部の不良を検出する異常検出部とを備えた放電灯点灯装置であって、
前記異常検出部は、前記受付部により前記外部からの電力供給の受付が開始された場合に前記直列に接続されているフィラメント部の不良を検出するための無負荷検出部と、前記電力供給部により前記点灯用電圧が供給されている場合に前記直列に接続されているフィラメント部の不良を検出するためのフィラメント不良検出部とを備え、
前記無負荷検出部は、前記フィラメントの直列回路における高電位側の極に前記点灯用電圧を印加する第１の抵抗と、前記フィラメントの直列回路における低電位側の極から導かれた電流によって充電される第１のコンデンサと、前記第１のコンデンサの充電電圧が予め設定された第１の基準電圧を超えた場合に前記電力供給部から前記放電灯の直列回路へ電力供給を行わせる一方、前記第１のコンデンサの充電電圧が前記第１の基準電圧以下である場合に前記電力供給部による電力供給を停止させる第１の制御部とを備え、
前記フィラメント不良検出部は、前記不良を検出するための検出用電圧を出力する検出用電圧源と、前記検出用電圧を分圧する第２、第３、及び第４の抵抗による直列回路と、前記第４の抵抗と並列接続された第２のコンデンサと、前記第３及び第４の抵抗間における接続点と前記低電位側の極とを接続する第５の抵抗とを備え、前記第２及び第３の抵抗間における接続点と前記高電位側の極とは接続されており、前記第３及び第４の抵抗間における接続点に生じた電圧が、予め設定された第２の基準電圧を超えた場合に前記電力供給部による電力供給を停止させる第２の制御部を備えるものであり、
前記検出用電圧源は、前記電力供給部による電力供給が開始された後に、前記検出用電圧の出力を開始するものであることを特徴とする放電灯点灯装置。
【請求項２】
前記電力供給部は、直流電圧を出力する直流電圧源と、前記直流電圧源から出力された直流電圧が印加される第１のスイッチング素子及び第２のスイッチング素子による直列回路とを備え、前記第１及び第２のスイッチング素子を交互にオン、オフさせることにより前記第１及び第２のスイッチング素子間の接続点から出力された矩形波電圧を、前記放電灯の直列回路への点灯用電圧として供給するものであり、
前記検出用電圧源は、前記矩形波電圧を、前記検出用電圧として出力するものであることを特徴とする請求項１記載の放電灯点灯装置。
【請求項３】
前記第２のスイッチング素子と並列に接続された、第３のコンデンサと第１のトランスと第３のスイッチング素子とからなる直列回路を備え、
前記第１のトランスの二次巻線が、第４のコンデンサを介して前記高電位側の極及び低電位側の極に接続され、
前記放電灯の発光開始前に、前記第３のスイッチング素子をオンさせることにより、前記トランスの二次巻線から前記フィラメントの直列回路へ予熱用電流を出力させると共に、前記放電灯の発光開始後に前記第３のスイッチング素子をオフさせる予熱制御部をさらに備えたことを特徴とする請求項１記載の放電灯点灯装置。
【請求項４】
前記検出用電圧源は、前記第３のコンデンサと第１のトランスとの間の電圧を、前記検出用電圧として出力するものであることを特徴とする請求項３記載の放電灯点灯装置。
【請求項５】
前記電力供給部は、直流電圧を正極端子及び負極端子間に出力する直流電圧源と、正極端子及び負極端子間に接続された第１のスイッチング素子及び第２のスイッチング素子による直列回路とを備え、前記第１及び第２のスイッチング素子を交互にオン、オフさせることにより前記第１及び第２のスイッチング素子間の接続点から出力された矩形波電圧を、第５のコンデンサと第２のトランスとを介して前記放電灯の直列回路への点灯用電圧として供給するものであり、
前記第２のトランスの第１の二次巻線は、第６のコンデンサを介して前記高電位側の極及び低電位側の極に接続され、
前記検出用電圧源は、前記第２のトランスにおける第２の二次巻線から出力される電圧を、前記検出用電圧として出力するものであることを特徴とする請求項１記載の放電灯点灯装置。
【請求項６】
前記電力供給部は、直流電圧を正極端子及び負極端子間に出力する直流電圧源と、正極端子及び負極端子間に接続された第１のスイッチング素子及び第２のスイッチング素子による直列回路とを備え、前記第１及び第２のスイッチング素子を交互にオン、オフさせることにより前記第１及び第２のスイッチング素子間の接続点から出力された矩形波電圧を、第５のコンデンサと第２のトランスとを介して前記放電灯の直列回路へ電力として供給するものであり、
前記第２のトランスの第１の二次巻線は、第６のコンデンサを介して前記高電位側の極及び低電位側の極に接続され、
前記第５の抵抗を備える代わりに、前記第２のトランスにおける第３の二次巻線から出力される電圧を整流し、この電圧で前記第１のコンデンサを充電することを特徴とする請求項１記載の放電灯点灯装置。
【請求項７】
フィラメント不良検出部における前記第２の制御部は、前記受付部により電力の供給が受け付けられてから、予め設定された期間内は、前記第２の基準電圧を超えた場合であっても前記電力供給の停止を行わないことを特徴とする請求項１〜６のいずれかに記載の放電灯点灯装置。
【請求項８】
放電灯と、放電灯を点灯させる放電灯点灯装置を備える照明器具において、前記放電灯点灯装置は、請求項１〜７のいずれかに記載の放電灯点灯装置であることを特徴とする照明器具。
【発明の詳細な説明】
【技術分野】
【０００１】
本発明は、電力を供給することにより放電灯を発光させる放電灯点灯装置及びこれを用いた照明器具に関する。
【背景技術】
【０００２】
図１１は、背景技術に係る放電灯点灯装置の構成を示す回路図である。図１１に示す放電灯点灯装置において、直流電圧Ｖｄｃを生成する図略の電源部と、直流電圧Ｖｄｃが印加されるトランジスタＱ１及びトランジスタＱ２のスイッチング素子による直列回路と、トランジスタＱ１，Ｑ２を交互にオン、オフさせることによりトランジスタＱ１，Ｑ２の接続点に矩形波電圧を生じさせる制御回路部２０１とを備えている。また、トランジスタＱ１，Ｑ２の接続点は、直流成分カット用コンデンサＣ１と抵抗Ｒ５との並列回路と、共振用トランスＴ１と、を介して放電灯ＦＬ１のフィラメントＦ１における一方の極（１）に接続されている。
【０００３】
制御回路部２０１は、コンパレータ２０２，２０３と、トランジスタＱ１，Ｑ２を所定の周期で交互にオン、オフさせるべく制御信号を出力するインバータ制御回路２０４と、インバータ制御回路２０４からの制御信号に応じてトランジスタＱ１，Ｑ２をオン、オフさせる駆動回路２０５とを備える。インバータ制御回路２０４は、コンパレータ２０２の出力信号ＶNLがハイレベル、かつコンパレータ２０３の出力信号ＶELがローレベルの場合に、トランジスタＱ１，Ｑ２をオンオフさせることにより、放電灯ＦＬ１，ＦＬ２へ電力を供給させる一方、信号ＶNLがローレベルであるか、または信号ＶELがハイレベルであるかのいずれかの場合に、トランジスタＱ１，Ｑ２をオフさせて放電灯ＦＬ１，ＦＬ２への電力供給を停止させる。
【０００４】
また、フィラメントＦ１における他方の極（２）へは、抵抗Ｒ１１を介して直流電圧Ｖｄｃが供給される。また、直流電圧Ｖｄｃは、抵抗Ｒ１１、抵抗Ｒ３及び、抵抗Ｒ４とコンデンサＣ９との並列回路の直列回路を介してグラウンドに供給されており、抵抗Ｒ３と抵抗Ｒ４との接続点がダイオードＤ３を介してコンパレータ２０３の非反転入力端子に接続されている。
【０００５】
コンデンサＣ１と共振用トランスＴ１との接続点は、抵抗Ｒ１及び、抵抗Ｒ２とコンデンサＣ７との並列回路の直列回路を介してグラウンドに接続されており、抵抗Ｒ１と抵抗Ｒ２との接続点がダイオードＤ１を介してコンパレータ２０３の非反転入力端子に接続されている。放電灯ＦＬ１のフィラメントＦ１とは反対側のフィラメントＦ２と、放電灯ＦＬ２のフィラメントＦ３とは、接続部（７）で直列接続されて、放電灯ＦＬ１，ＦＬ２による放電灯直列回路が構成されており、この放電灯直列回路と共振用コンデンサＣ２とが並列に接続されている。
【０００６】
また、直流電圧Ｖｄｃは、抵抗Ｒ８，Ｒ９，Ｒ１０を介してグラウンドに接続され、抵抗Ｒ１０に並列にコンデンサＣ８が接続され、抵抗Ｒ９と抵抗Ｒ１０との接続点がダイオードＤ２を介してコンパレータ２０３の非反転入力端子に接続されている。抵抗Ｒ８には、抵抗Ｒ６とコンデンサＣ４の直列回路が並列に接続されている。そして、抵抗Ｒ８，Ｒ９及びコンデンサＣ４の接続点が、フィラメントＦ２における接続部（７）とは反対側の極（３）と接続されている。また、フィラメントＦ３における接続部（７）とは反対側の極（４）は、抵抗Ｒ７を介して抵抗Ｒ９，Ｒ１０の接続点と接続されている。そして、抵抗Ｒ６，Ｒ７，Ｒ８，Ｒ９，Ｒ１０，コンデンサＣ８、及びコンパレータ２０３によって、フィラメント不良検出回路２０６が構成されている。フィラメント不良検出回路２０６は、放電灯ＦＬ１，ＦＬ２が点灯後に極（３）、極（４）、及び接続部（７）のいずれかが断線や接触不良等の不良状態になった場合に、放電灯ＦＬ１，ＦＬ２を消灯させるための回路である。
【０００７】
また、直流電圧Ｖｄｃは、抵抗Ｒ１５，Ｒ１６，Ｒ１７を介してグラウンドに接続され、抵抗Ｒ１５と抵抗Ｒ１６との接続点が、放電灯ＦＬ２の、フィラメントＦ３とは反対側のフィラメントＦ４における極（５）と接続されている。そして、抵抗Ｒ１７と並列にコンデンサＣ１１が接続され、抵抗Ｒ１７とコンデンサＣ１１との接続点がトランジスタＱ３のベースに接続され、トランジスタＱ３のエミッタがグラウンドに接続され、トランジスタＱ３のコレクタが抵抗Ｒ１８を介して抵抗Ｒ１３とダイオードＤ４との接続点に接続されている。
【０００８】
また、極（１）は、抵抗Ｒ１２，Ｒ１３，及び逆接続のツェナーダイオードＺＤ１を介してグラウンドに接続され、ツェナーダイオードＺＤ１と並列にダイオードＤ４と抵抗Ｒ１４との直列回路が接続され、抵抗Ｒ１４と並列にコンデンサＣ１０が接続され、ダイオードＤ４とコンデンサＣ１０との接続点がコンパレータ２０２の非反転入力端子に接続されている。そして、抵抗Ｒ１１，Ｒ１２，Ｒ１３，Ｒ１４，ダイオードＤ４，ツェナーダイオードＺＤ１、コンデンサＣ１０、及びコンパレータ２０２によって、無負荷検出回路２０７が構成されている。無負荷検出回路２０７は、起動時に、極（１）又は極（２）の接続不良や、フィラメントＦ１の断線等の不良があった場合に、放電灯ＦＬ１，ＦＬ２を消灯させるための回路である。
【０００９】
トランスＴ１は、二次巻線２０８，２０９，２１０を備えている。そして、二次巻線２０８の一方端は、コンデンサＣ３を介して極（１）と接続され、他方端は、極（２）と接続されている。二次巻線２０９の一方端は、コンデンサＣ４を介して極（３）と接続され、他方端は、極（４）と接続されている。二次巻線２１０の一方端は、極（５）と接続され、他方端は、コンデンサＣ５を介してフィラメントＦ４における極（５）とは反対側の極（６）と接続されている。
【００１０】
そして、極（１）〜極（６）及び接続部（７）は、例えばコネクタ等で構成されており、ユーザが放電灯ＦＬ１，ＦＬ２を脱着可能にされている。
【００１１】
次に、このように構成されたフィラメント不良検出回路２０６及び無負荷検出回路２０７の動作を説明する。まず、正常状態では、外部から図略の電源部に電力が供給されると、無負荷検出回路２０７において、当該電源部から直流電圧Ｖｄｃが、抵抗Ｒ１１、フィラメントＦ１、抵抗Ｒ１２，Ｒ１３、及びダイオードＤ４を介してコンデンサＣ１０に印加され、コンデンサＣ１０の充電電圧ＶC10が上昇する。
【００１２】
コンデンサＣ１０の充電電圧ＶC10は、コンパレータ２０２において基準電圧ＶrefNと比較され、充電電圧ＶC10が基準電圧ＶrefNを超えると、コンパレータ２０２の出力信号ＶNLがハイレベルでインバータ制御回路２０４へ出力される。そうすると、インバータ制御回路２０４によって、トランジスタＱ１，Ｑ２のオンオフ動作が開始され、放電灯ＦＬ１，ＦＬ２への電力供給が開始され、放電灯ＦＬ１，ＦＬ２が点灯する。
【００１３】
一方、フィラメント不良検出回路２０６においては、直流電圧Ｖｄｃが、抵抗Ｒ６，Ｒ７と抵抗Ｒ８，Ｒ９との並列回路と、抵抗Ｒ１０とによって分圧され、抵抗Ｒ１０の両端電圧によって、コンデンサＣ８が充電されるが、抵抗Ｒ９，Ｒ１０の直列回路と並列に放電灯ＦＬ２が接続されているため、放電灯ＦＬ１，ＦＬ２が点灯すると、放電灯ＦＬ２のインピーダンスが低下する結果、コンデンサＣ８と抵抗Ｒ１０との並列回路には、電圧がほとんど生じない。従って、コンデンサＣ８の充電電圧ＶC8は、コンパレータ２０３において基準電圧ＶrefEと比較され、充電電圧ＶC8が基準電圧ＶrefEを超えないので、コンパレータ２０３の出力信号ＶELがローレベルでインバータ制御回路２０４へ出力され、放電灯ＦＬ１，ＦＬ２への電力供給は停止されることなく継続される。
【００１４】
次に、放電灯ＦＬ１，ＦＬ２が点灯している状態で、極（３）において断線や接触不良等の接続不良が生じた場合、抵抗Ｒ９，Ｒ１０の直列回路と、放電灯ＦＬ２とが並列接続されなくなるため、抵抗Ｒ８，Ｒ９，Ｒ１０の分圧比によって決まる電圧によりコンデンサＣ８が充電されて充電電圧ＶC8が上昇し、コンパレータ２０３において基準電圧ＶrefEと比較され、充電電圧ＶC8が基準電圧ＶrefEを超えて、コンパレータ２０３の出力信号ＶELがハイレベルでインバータ制御回路２０４へ出力される。そして、インバータ制御回路２０４によって、放電灯ＦＬ１，ＦＬ２への電力供給が停止され、放電灯ＦＬ１，ＦＬ２が消灯される。
【００１５】
次に、放電灯ＦＬ１，ＦＬ２が点灯している状態で、接続部（７）において断線や接触不良等の接続不良が生じた場合、放電灯ＦＬ１，ＦＬ２を流れる電流が変化し、極（３）、コンデンサＣ４、二次巻線２０９、極（４）を経由して、放電灯ＦＬ１，ＦＬ２間をランプ電流が流れる。この場合、抵抗Ｒ９と抵抗Ｒ１０との直列回路には、低インピーダンスの放電灯ＦＬ２が並列接続されないため、抵抗Ｒ８，Ｒ９，Ｒ１０の分圧比によって決まる電圧によりコンデンサＣ８が充電されて充電電圧ＶC8が上昇し、コンパレータ２０３において基準電圧ＶrefEと比較され、充電電圧ＶC8が基準電圧ＶrefEを超えて、コンパレータ２０３の出力信号ＶELがハイレベルでインバータ制御回路２０４へ出力される。そして、インバータ制御回路２０４によって、放電灯ＦＬ１，ＦＬ２への電力供給が停止され、放電灯ＦＬ１，ＦＬ２が消灯される。
【００１６】
次に、放電灯ＦＬ１，ＦＬ２が点灯している状態で、接続部（４）において断線や接触不良等の接続不良が生じた場合、抵抗Ｒ７，Ｒ１０の直列回路と、放電灯ＦＬ２とが並列接続されなくなるため、抵抗Ｒ１０には、抵抗Ｒ６，Ｒ７，Ｒ１０の分圧比によって決まる電圧によりコンデンサＣ８が充電されて充電電圧ＶC8が上昇し、コンパレータ２０３において基準電圧ＶrefEと比較され、充電電圧ＶC8が基準電圧ＶrefEを超えて、コンパレータ２０３の出力信号ＶELがハイレベルでインバータ制御回路２０４へ出力される。そして、インバータ制御回路２０４によって、放電灯ＦＬ１，ＦＬ２への電力供給が停止され、放電灯ＦＬ１，ＦＬ２が消灯される。
【００１７】
以上のようにして、直列に接続されているフィラメントＦ２とフィラメントＦ３との直列回路における、高圧側の極である極（３）、低圧側の極である極（４）、フィラメントＦ２とフィラメントＦ３との接続点である接続部（７）の不良が検出され、放電灯ＦＬ１，ＦＬ２が消灯されるようになっている（例えば、特許文献１参照。）。
【特許文献１】特開平１１−３５４２８６号公報
【発明の開示】
【発明が解決しようとする課題】
【００１８】
ところで、上述の放電灯点灯装置においては、電源投入時や、放電灯が放電灯点灯装置から外れている状態でユーザが放電灯ＦＬ１，ＦＬ２を放電灯点灯装置に取り付けを行う際、極（３）、極（４）、及び接続部（７）のいずれかが接続されていない場合であっても極（１），（２）が接続されていれば、直流電圧Ｖｄｃが、抵抗Ｒ１１、フィラメントＦ１、抵抗Ｒ１２，Ｒ１３、及びダイオードＤ４を介してコンデンサＣ１０に印加され、コンデンサＣ１０の充電電圧ＶC10が正常時と同様に上昇して充電電圧ＶC10が基準電圧ＶrefNを超えてしまうため、極（３）、極（４）、及び接続部（７）における接続不良を検出することができない。そのため、コンパレータ２０２の出力信号ＶNLがハイレベルでインバータ制御回路２０４へ出力される結果、インバータ制御回路２０４によってトランジスタＱ１，Ｑ２のオンオフ動作が開始され、放電灯ＦＬ１，ＦＬ２への電力供給が開始され、放電灯ＦＬ１，ＦＬ２を点灯すべく高電圧を発生させるため、トランジスタＱ１，Ｑ２等、回路の各部への電圧ストレスを増大させてしまうという不都合があった。
【００１９】
また、ユーザが放電灯ＦＬ１，ＦＬ２の取り付け途中で、極（１），（２）が接続され、まだ極（３）、極（４）、及び接続部（７）の接続を完了していない状態で、放電灯点灯装置が放電灯ＦＬ１，ＦＬ２の点灯を開始しようとするためユーザに不安感を与えるという不都合もあった。
【００２０】
本発明は、このような問題に鑑みて為された発明であり、直列に接続されているフィラメント部の不良を検出し、放電灯の点灯を開始させないようにすることができる放電灯点灯装置を提供することを目的とする。
【課題を解決するための手段】
【００２１】
上述の目的を達成するために、本発明の第１の手段に係る放電灯点灯装置は、点灯用のフィラメントを両端に有する複数の放電灯を、前記フィラメントを直列接続することにより放電灯の直列回路として構成し、外部から電力の供給を受け付ける受付部と、前記受付部により受け付けられた電力に基づき、前記放電灯の直列回路に点灯用電圧を供給することにより前記複数の放電灯を発光させる電力供給部と、前記直列に接続されているフィラメント部の不良を検出する異常検出部とを備えた放電灯点灯装置であって、前記異常検出部は、前記受付部により前記外部からの電力供給の受付が開始された場合に前記直列に接続されているフィラメント部の不良を検出するための無負荷検出部と、前記電力供給部により前記点灯用電圧が供給されている場合に前記直列に接続されているフィラメント部の不良を検出するためのフィラメント不良検出部とを備え、前記無負荷検出部は、前記フィラメントの直列回路における高電位側の極に前記点灯用電圧を印加する第１の抵抗と、前記フィラメントの直列回路における低電位側の極から導かれた電流によって充電される第１のコンデンサと、前記第１のコンデンサの充電電圧が予め設定された第１の基準電圧を超えた場合に前記電力供給部から前記放電灯の直列回路へ電力供給を行わせる一方、前記第１のコンデンサの充電電圧が前記第１の基準電圧以下である場合に前記電力供給部による電力供給を停止させる第１の制御部とを備え、前記フィラメント不良検出部は、前記不良を検出するための検出用電圧を出力する検出用電圧源と、前記検出用電圧を分圧する第２、第３、及び第４の抵抗による直列回路と、前記第４の抵抗と並列接続された第２のコンデンサと、前記第３及び第４の抵抗間における接続点と前記低電位側の極とを接続する第５の抵抗とを備え、前記第２及び第３の抵抗間における接続点と前記高電位側の極とは接続されており、前記第３及び第４の抵抗間における接続点に生じた電圧が、予め設定された第２の基準電圧を超えた場合に前記電力供給部による電力供給を停止させる第２の制御部を備えるものであり、前記検出用電圧源は、前記電力供給部による電力供給が開始された後に、前記検出用電圧の出力を開始するものであることを特徴としている。
【００２２】
また、上述の放電灯点灯装置において、前記電力供給部は、直流電圧を出力する直流電圧源と、前記直流電圧源から出力された直流電圧が印加される第１のスイッチング素子及び第２のスイッチング素子による直列回路とを備え、前記第１及び第２のスイッチング素子を交互にオン、オフさせることにより前記第１及び第２のスイッチング素子間の接続点から出力された矩形波電圧を、前記放電灯の直列回路への点灯用電圧として供給するものであり、前記検出用電圧源は、前記矩形波電圧を、前記検出用電圧として出力するものであることを特徴としている。
【００２３】
そして、上述の放電灯点灯装置において、前記第２のスイッチング素子と並列に接続された、第３のコンデンサと第１のトランスと第３のスイッチング素子とからなる直列回路を備え、前記第１のトランスの二次巻線が、第４のコンデンサを介して前記高電位側の極及び低電位側の極に接続され、前記放電灯の発光開始前に、前記第３のスイッチング素子をオンさせることにより、前記トランスの二次巻線から前記フィラメントの直列回路へ予熱用電流を出力させると共に、前記放電灯の発光開始後に前記第３のスイッチング素子をオフさせる予熱制御部をさらに備えたことを特徴としている。
【００２４】
さらに、上述の放電灯点灯装置において、前記検出用電圧源は、前記第３のコンデンサと第１のトランスとの間の電圧を、前記検出用電圧として出力するものであることを特徴としている。
【００２５】
また、上述の放電灯点灯装置において、前記電力供給部は、直流電圧を正極端子及び負極端子間に出力する直流電圧源と、正極端子及び負極端子間に接続された第１のスイッチング素子及び第２のスイッチング素子による直列回路とを備え、前記第１及び第２のスイッチング素子を交互にオン、オフさせることにより前記第１及び第２のスイッチング素子間の接続点から出力された矩形波電圧を、第５のコンデンサと第２のトランスとを介して前記放電灯の直列回路への点灯用電圧として供給するものであり、前記第２のトランスの第１の二次巻線は、第６のコンデンサを介して前記高電位側の極及び低電位側の極に接続され、前記検出用電圧源は、前記第２のトランスにおける第２の二次巻線から出力される電圧を、前記検出用電圧として出力するものであることを特徴としている。
【００２６】
そして、上述の放電灯点灯装置において、前記電力供給部は、直流電圧を正極端子及び負極端子間に出力する直流電圧源と、正極端子及び負極端子間に接続された第１のスイッチング素子及び第２のスイッチング素子による直列回路とを備え、前記第１及び第２のスイッチング素子を交互にオン、オフさせることにより前記第１及び第２のスイッチング素子間の接続点から出力された矩形波電圧を、第５のコンデンサと第２のトランスとを介して前記放電灯の直列回路へ電力として供給するものであり、前記第２のトランスの第１の二次巻線は、第６のコンデンサを介して前記高電位側の極及び低電位側の極に接続され、
前記第５の抵抗を備える代わりに、前記第２のトランスにおける第３の二次巻線から出力される電圧を整流し、この電圧で前記第１のコンデンサを充電することを特徴としている。
【００２７】
さらに、上述の放電灯点灯装置において、フィラメント不良検出部における前記第２の制御部は、前記受付部により電力の供給が受け付けられてから、予め設定された期間内は、前記第２の基準電圧を超えた場合であっても前記電力供給の停止を行わないことを特徴としている。
【００２８】
上述の目的を達成するために、本発明の第２の手段に係る照明器具は、放電灯と、放電灯を点灯させる放電灯点灯装置を備える照明器具において、前記放電灯点灯装置は、上述の放電灯点灯装置であることを特徴としている。
【発明の効果】
【００２９】
このような構成の放電灯点灯装置及びこれを用いた照明器具は、直列に接続されているフィラメント部に不良があった場合には、第１の抵抗から当該フィラメントの直列回路を介して第１のコンデンサに至る電流経路から第１のコンデンサが充電されることが阻害され、かつ、検出用電圧源による検出用電圧の出力は電力供給部による電力供給が開始された後に開始されるので電力供給部による電力供給が開始される前において、検出用電圧源から第２、第３、第５の抵抗、及びフィラメントの直列回路における低電位側の極を介して第１のコンデンサが充電されることがない。従って、第１のコンデンサの充電電圧が第１の基準電圧以下にされるので、電力供給部による電力供給が停止され、放電灯の点灯が開始されない。これにより、直列に接続されているフィラメント部の不良を検出し、放電灯の点灯を開始させないようにすることができる。
【発明を実施するための最良の形態】
【００３０】
以下、本発明に係る実施形態を図面に基づいて説明する。なお、各図において同一の符号を付した構成は、同一の構成であることを示し、その説明を省略する。
【００３１】
図１は、本発明の第１の実施形態に係る照明器具の外観の一例を示す斜視図である。図１に示す照明器具１は、照明器具本体２と、照明器具本体２に立設された、放電灯ＦＬ１，ＦＬ２を照明器具１に取り付けるためのコネクタ４ａ，４ｂ，４ｃ，４ｄとを備える。そして、照明器具本体２の内部には、放電灯点灯装置５が格納されている。
【００３２】
図２は、図１に示す放電灯点灯装置５の構成の一例を示す回路図である。図２に示す放電灯点灯装置５は、商用電源Ｖａｃの入力を受け付ける電源コネクタ１０１と、電源コネクタ１０１を介して供給された商用電源Ｖａｃから直流電圧Ｖｄｃを生成し、直流電源ラインＬを介して放電灯点灯装置５の各部へ供給する電源部１０２と、直流電源ラインＬとグラウンドとの間に介設されるトランジスタＱ１及びトランジスタＱ２のスイッチング素子による直列回路と、トランジスタＱ１，Ｑ２を交互にオン、オフさせることによりトランジスタＱ１，Ｑ２の接続点に高周波の矩形波電圧を生じさせてインバータとして機能させ、放電灯ＦＬ１，ＦＬ２へ発光用の電力を供給させる制御回路部１０３と、インバータ動作が開始され、すなわち放電灯ＦＬ１，ＦＬ２を発光させるための電力供給が開始された後に、直流電圧Ｅの出力を開始する直流電圧源１１５とを備えている。
【００３３】
また、トランジスタＱ１，Ｑ２の接続点は、直流成分カット用コンデンサＣ１と抵抗Ｒ５との並列回路と、共振用トランスＴ１とを介して放電灯ＦＬ１のフィラメントＦ１における一方の極（１）に接続されている。そして、放電灯ＦＬ１，ＦＬ２が直列に接続されることにより放電灯直列回路が構成され、この放電灯直列回路と共振用コンデンサＣ２とが並列に接続されている。さらに、トランスＴ１、コンデンサＣ２、及び放電灯ＦＬ１，ＦＬ２によって、共振負荷回路が構成されている。
【００３４】
制御回路部１０３は、コンパレータ１０４，１０５と、トランジスタＱ１，Ｑ２を所定の周期で交互にオン、オフさせるべく制御信号を出力するインバータ制御回路１０６と、インバータ制御回路１０６からの制御信号に応じてトランジスタＱ１，Ｑ２をオン、オフさせる駆動回路１０７とを備える。インバータ制御回路１０６は、例えばＣＰＵ（Central Processing Unit）や、タイマー回路を用いて構成されており、トランジスタＱ１，Ｑ２をオン、オフさせる周波数を制御してインバータとして動作させるための制御部で、コンパレータ１０４の出力信号ＶNLがハイレベル、かつコンパレータ１０５の出力信号ＶELがローレベルの場合に、トランジスタＱ１，Ｑ２を交互にオンオフさせることによりインバータ動作を開始させ、放電灯ＦＬ１，ＦＬ２へ電力を供給させる一方、信号ＶNLがローレベルであるか、または信号ＶELがハイレベルであるかのいずれかの場合に、トランジスタＱ１，Ｑ２をオフさせて放電灯ＦＬ１，ＦＬ２への電力供給を停止させる。また、制御回路部１０３は、電源投入から一定の時間、コンパレータ１０５の出力信号ＶELがハイレベルになった場合であっても、放電灯ＦＬ１，ＦＬ２への電力供給を停止させないマスク期間を有している。
【００３５】
放電灯ＦＬ１におけるフィラメントＦ１とは反対側のフィラメントＦ２と、放電灯ＦＬ２のフィラメントＦ３とは、接続部（７）で直列接続されて、放電灯ＦＬ１，ＦＬ２による放電灯直列回路が構成されており、この放電灯直列回路と共振用コンデンサＣ２とが並列に接続されている。すなわち、フィラメントＦ２，Ｆ３、接続部（７）、フィラメントＦ２の高電位側の極（３）、及びフィラメントＦ３の低電位側の極（４）が、「直列に接続されているフィラメント部」に相当する。
【００３６】
コンデンサＣ１と共振用トランスＴ１との接続点は、抵抗Ｒ１，Ｒ２を介してグラウンドに接続され、抵抗Ｒ２と並列に、コンデンサＣ７が接続されている。また、コンデンサＣ７と抵抗Ｒ１との接続点が、ダイオードＤ１を介してコンパレータ１０５の非反転入力端子に接続されている。そして、抵抗Ｒ１，Ｒ２、及びコンデンサＣ７から、負荷の直流成分を検出するＤＣ検出回路１１４が、構成されている。
【００３７】
また、フィラメントＦ１における極（１）とは反対側の極（２）は、抵抗Ｒ１１を介して直流電源ラインＬと接続されている。極（２）は、抵抗Ｒ３と、抵抗Ｒ４とコンデンサＣ９の並列回路との直列回路を介してグラウンドに接続されており、抵抗Ｒ３と抵抗Ｒ４の接続点がダイオードＤ３を介してコンパレータ１０５の非反転入力端子に接続されている。そして、抵抗Ｒ３，Ｒ４、及びコンデンサＣ７から、負荷の直流成分を検出するＤＣ検出回路１１６が構成されている。
【００３８】
また、直流電圧源１１５は、抵抗Ｒ８，Ｒ９，Ｒ１０を介してグラウンドに接続され、抵抗Ｒ１０と並列にコンデンサＣ８が接続され、抵抗Ｒ９，Ｒ１０の接続点がダイオードＤ２を介してコンパレータ１０５の非反転入力端子に接続されている。抵抗Ｒ８には、抵抗Ｒ６とコンデンサＣ４の直列回路が並列に接続されている。そして、抵抗Ｒ８，Ｒ９及びコンデンサＣ４の接続点が、フィラメントＦ２における接続部（７）とは反対側の極（３）と接続されている。また、フィラメントＦ３における接続部（７）とは反対側の極（４）は、抵抗Ｒ７を介して抵抗Ｒ９，Ｒ１０の接続点と接続されている。そして、抵抗Ｒ６，Ｒ７，Ｒ８，Ｒ９，Ｒ１０，コンデンサＣ８、及びコンパレータ１０５によって、フィラメント不良検出回路１０８が構成されている。フィラメント不良検出回路１０８は、放電灯ＦＬ１，ＦＬ２が点灯後に極（３）、極（４）、及び接続部（７）のいずれかが断線や接触不良等の不良状態になった場合に、放電灯ＦＬ１，ＦＬ２を消灯させるための回路である。
【００３９】
極（１）は、抵抗Ｒ１２を介して極（３）に接続されている。また、極（４）は、抵抗Ｒ１３，及び逆接続のツェナーダイオードＺＤ１を介してグラウンドに接続され、ツェナーダイオードＺＤ１と並列にダイオードＤ４と抵抗Ｒ１４との直列回路が接続され、抵抗Ｒ１４と並列にコンデンサＣ１０が接続され、ダイオードＤ４とコンデンサＣ１０との接続点がコンパレータ１０４の非反転入力端子に接続されている。そして、抵抗Ｒ１１，Ｒ１２，Ｒ１３，Ｒ１４，ダイオードＤ４，ツェナーダイオードＺＤ１、コンデンサＣ１０、及びコンパレータ１０４によって、無負荷検出回路１０９が構成されている。無負荷検出回路１０９は、電源投入時に、極（１），（２），（３），（４）の接続不良や、フィラメントＦ１，Ｆ２，Ｆ３の断線等を検出し、放電灯ＦＬ１，ＦＬ２を消灯させる（点灯させない）ための回路である。
【００４０】
また、直流電源ラインＬは、抵抗Ｒ１５，Ｒ１６，Ｒ１７を介してグラウンドに接続され、抵抗Ｒ１５，Ｒ１６の接続点が、放電灯ＦＬ２の、フィラメントＦ３とは反対側のフィラメントＦ４における極（５）と接続されている。そして、抵抗Ｒ１７と並列にコンデンサＣ１１が接続され、抵抗Ｒ１７とコンデンサＣ１１の接続点がトランジスタＱ３のベースに接続され、トランジスタＱ３のエミッタがグラウンドに接続され、トランジスタＱ３のエミッタが抵抗Ｒ１８を介して抵抗Ｒ１３とダイオードＤ４のアノードとの接続点に接続されている。そして、抵抗Ｒ１５，Ｒ１６，Ｒ１７，Ｒ１８、Ｃ１１、及びトランジスタＱ３によって、無負荷検出回路１１３が構成されている。無負荷検出回路１１３は、極（５）、極（６）、及びフィラメントＦ４のいずれかが断線や接触不良等の不良状態になった場合に、放電灯ＦＬ１，ＦＬ２を消灯させるための回路である。
【００４１】
トランスＴ１は、二次巻線１１０，１１１，１１２を備えている。そして、二次巻線１１０の一方端は、コンデンサＣ３を介して極（１）と接続され、他方端は、極（２）と接続されている。二次巻線１１１の一方端は、コンデンサＣ４を介して極（３）と接続され、他方端は、極（４）と接続されている。二次巻線１１２の一方端は、フィラメントＦ４における極（５）と接続され、他方端は、コンデンサＣ５を介して極（５）とは反対側の極（６）と接続されている。
【００４２】
そして、極（１）、極（２）は例えばコネクタ４ａによって、放電灯点灯装置５と放電灯ＦＬ１との間で接続され、極（３）は例えばコネクタ４ｂによって、放電灯点灯装置５と放電灯ＦＬ１との間で接続され、極（４）は例えばコネクタ４ｃによって、放電灯点灯装置５と放電灯ＦＬ２との間で接続され、極（５）、極（６）は例えばコネクタ４ｄによって、放電灯点灯装置５と放電灯ＦＬ２との間で接続され、接続部（７）は、コネクタ４ｂ及びコネクタ４ｃによって、放電灯ＦＬ１と放電灯ＦＬ２との間で接続される。そして、コネクタ４ａ，４ｂ，４ｃ，４ｄは、ユーザが放電灯ＦＬ１，ＦＬ２を脱着可能にされている。
【００４３】
次に、このように構成された放電灯点灯装置５の点灯動作を説明する。図３、図４は、放電灯点灯装置５の動作を説明するための図である。まず、放電灯ＦＬ１，ＦＬ２におけるフィラメントの状態や、極（１）〜極（６）、接続部（７）等の接続が正常である場合の動作を説明する。まず、ユーザによって電源投入されると、電源コネクタ１０１によって商用電源Ｖａｃが受け付けられ、電源部１０２によって直流電源ラインＬを介して直流電圧Ｖｄｃが、放電灯点灯装置５の各部に供給される。
【００４４】
インバータ制御回路１０６は、直流電圧Ｖｄｃが供給されると、トランスＴ１のインダクタンスとコンデンサＣ２の容量により決まる無負荷共振周波数foよりも高い周波数fphで、トランジスタＱ１，Ｑ２を交互にオンオフさせることにより、インバータの発振動作を開始させる。これにより、放電灯ＦＬ１，ＦＬ２の直列回路には、点灯開始しない程度の低電圧の共振電圧が印加される。この際、トランスＴ１の二次巻線１１０，１１１，１１２から、それぞれＣ３、Ｃ４、Ｃ５を介してフィラメントＦ１、フィラメントＦ２，Ｆ３、フィラメントＦ４を加熱するための先行予熱電流が流れる（先行予熱モード）。
【００４５】
そして、インバータ制御回路１０６により、予め設定された予熱時間が経過後、放電灯ＦＬ１，ＦＬ２を点灯させるべくインバータの動作周波数が周波数fphから周波数fstに変化し、放電灯ＦＬ１，ＦＬ２の直列回路に印加される共振電圧が上昇し、放電灯ＦＬ１，ＦＬ２が点灯する（始動モード）。
【００４６】
その後、インバータ制御回路１０６によるインバータのオン、オフ周波数は、さらに低周波数の周波数ftに変化して通常点灯状態に移行し、放電灯ＦＬ１，ＦＬ２が安定して発光させられる。以上のシーケンス動作によって、放電灯ＦＬ１，ＦＬ２が点灯される。
【００４７】
ところで、放電灯ＦＬ１，ＦＬ２のフィラメントが断線していたり、極（１）〜極（６）、接続部（７）等の接続が、外れていたり、接続不良である場合、仮に、そのまま放電灯ＦＬ１，ＦＬ２を点灯させようとすると、図４に示す無負共振特性に近づこうとするため、放電灯ＦＬ１，ＦＬ２への印加電圧が上昇し、放電灯点灯装置５内の各回路部における電圧ストレスが増大したり、不良部分にアークが発生したりするという不都合があった。
【００４８】
そこで、図２に示す放電灯点灯装置５は、フィラメント不良検出回路１０８、無負荷検出回路１０９、無負荷検出回路１１３、ＤＣ検出回路１１４、ＤＣ検出回路１１６を備えることにより、放電灯ＦＬ１，ＦＬ２のフィラメントの断線や、極（１）〜極（６）、接続部（７）等の接続不良を検出し、不良時には放電灯ＦＬ１，ＦＬ２を点灯させないようにすることで、電圧ストレスを低減するようにしている。
【００４９】
次に、フィラメント不良検出回路１０８、無負荷検出回路１０９、無負荷検出回路１１３、ＤＣ検出回路１１４、ＤＣ検出回路１１６の動作について説明する。まず、放電灯ＦＬ１，ＦＬ２におけるフィラメントの状態や、極（１）〜極（６）、接続部（７）等の接続が正常である場合の動作を説明する。
【００５０】
まず、ユーザによって電源投入されると、電源コネクタ１０１によって商用電源Ｖａｃが受け付けられ、電源部１０２によって直流電源ラインＬを介して直流電圧Ｖｄｃが、放電灯点灯装置５の各部に供給される。
【００５１】
インバータ制御回路１０６は、直流電圧Ｖｄｃが供給されると、無負荷検出回路１１３において、直流電圧Ｖｄｃからの直流バイアス電圧がＲ１５、Ｒ１６を介して、抵抗Ｒ１７、コンデンサＣ１１、トランジスタＱ３のベースへ印加される。また同時にＲ１５、極（５）、フィラメントＦ４、極（６）の経路でフィラメントＦ４へバイアス電圧が印加される。しかしながら、フィラメント抵抗値は概ね数Ω〜数十Ωであり、抵抗Ｒ１５，Ｒ１６，Ｒ１７は共振負荷回路に影響が無いような比較的大きな抵抗値（約数十kΩ〜数MΩ）で構成されている。したがって極（５），（６）間に発生する電圧が非常に小さいため、並列的に接続された抵抗Ｒ１６や抵抗Ｒ１７に印加される電圧は極めて低く、トランジスタＱ３のベースへの電流供給はほとんど無い。よって、トランジスタＱ３はオフする。
【００５２】
また、無負荷検出回路１０９において、直流電圧Ｖｄｃから抵抗Ｒ１１、Ｒ１２、Ｒ１３、及びダイオードＤ４を介してコンデンサＣ１０、抵抗Ｒ１４が充電され、充電電圧ＶC10が、基準電圧ＶrefNを超える。そうすると、コンパレータ１０４の出力信号信号ＶNLはハイレベルとなる。この結果、インバータ制御回路１０６によって、トランジスタＱ１，Ｑ２がオン、オフされてインバータ動作を開始し、高周波の矩形波電圧が出力され、放電灯ＦＬ１，ＦＬ２へ電力が供給される。
【００５３】
放電灯ＦＬ１，ＦＬ２への電力供給が開始されると、放電灯ＦＬ１，ＦＬ２の両端には高周波電圧が発生し、ツェナーダイオードＺＤ１において、高周波電圧が半波整流され、ツェナーダイオードＺＤ１によってピーク部をクランプした電圧波形が発生する。この電圧波形が、ダイオードＤ４とコンデンサＣ１０と抵抗Ｒ１４によりフィルタリングされ、インバータが動作後においても充電電圧ＶC10の電圧が基準電圧ＶrefNを超えるレベルに維持される。
【００５４】
ＤＣ検出回路１１４においては、直流電圧Ｖｄｃから抵抗Ｒ１１、フィラメントＦ１、トランスＴ１、及び抵抗Ｒ１を介してコンデンサＣ７が所定の電圧値まで充電され、コンパレータ１０５へ充電電圧ＶC8として出力される。この充電電圧ＶC8は、放電灯ＦＬ１，ＦＬ２への電力供給開始時の過渡電圧が抵抗分圧されることにより、基準電圧ＶrefEを超える場合がある。この場合、インバータ制御回路１０６には、マスク期間が設けられているため、ＤＣ検出回路１１４から出力された充電電圧ＶC8の電圧が基準電圧ＶrefEを越え、コンパレータ１０５から信号ＶELがハイレベルで出力された場合であっても、インバータ制御回路１０６によって放電灯ＦＬ１，ＦＬ２への電力供給が停止されることはない。また、この趣旨から、マスク期間は、電力供給開始時の過渡応答時間に応じて決定される。
【００５５】
次に、放電灯ＦＬ１，ＦＬ２へ電力が供給され、放電灯ＦＬ１，ＦＬ２が点灯すると、放電灯ＦＬ１，ＦＬ２のインピーダンスは低下する。放電灯ＦＬ１，ＦＬ２の定格により点灯時のインピーダンスは様々であるが、一般的には数百Ω〜数kΩである。ＤＣ検出回路１１４を構成する抵抗Ｒ１，Ｒ２は共振負荷回路に影響が無いように数十kΩ〜数百kΩで構成される。したがって、放電灯ＦＬ１，ＦＬ２が点灯すると、放電灯ＦＬ１，ＦＬ２に直流電圧が発生しない条件下において、ほとんど抵抗Ｒ２、及びコンデンサＣ７には電圧が発生しないので、電灯ＦＬ１，ＦＬ２の点灯状態が維持される。
【００５６】
ＤＣ検出回路１１６においては、直流電圧Ｖｄｃから抵抗Ｒ１１，Ｒ３を介してコンデンサＣ９が、所定の電圧値まで充電される。この充電電位値はＤＣ検出回路１１４の場合と同様、放電灯ＦＬ１，ＦＬ２への電力供給開始時の過渡電圧により基準電圧ＶrefEを超える場合がある。しかしながら、インバータ制御回路１０６には、マスク期間が設けられているため、ＤＣ検出回路１１４から出力された充電電圧ＶC8の電圧が基準電圧ＶrefEを越え、コンパレータ１０５から信号ＶELがハイレベルで出力された場合であっても、インバータ制御回路１０６によって放電灯ＦＬ１，ＦＬ２への電力供給が停止されることはない。
【００５７】
次に、放電灯ＦＬ１，ＦＬ２へ電力が供給され、放電灯ＦＬ１，ＦＬ２が点灯すると、放電灯ＦＬ１，ＦＬ２のインピーダンスは低下する。ＤＣ検出回路１１６においても、ＤＣ検出回路１１４と同様に、ＤＣ検出回路１１６を構成する抵抗Ｒ３，Ｒ４は、共振負荷回路に影響が無いように数十kΩ〜数百kΩで構成される。したがって、放電灯ＦＬ１，ＦＬ２が点灯すると放電灯ＦＬ１，ＦＬ２に直流電圧が印加されない条件下において、ほとんど抵抗Ｒ４、コンデンサＣ９には電圧が発生しないので、電灯ＦＬ１，ＦＬ２の点灯状態が維持される。
【００５８】
フィラメント不良検出回路１０８においては、直流電圧源１１５によって、抵抗Ｒ６、Ｒ７と抵抗Ｒ８、Ｒ９を介してコンデンサＣ８が、所定電圧値まで充電される。この場合、直流電圧源１１５は、インバータ動作の開始前には、ほとんど出力電圧を発生せず、インバータ動作の開始後に直流電圧Ｅを出力するので、インバータ動作の開始前にコンデンサＣ８が充電されることはない。また、電源投入後のマスク期間内においては、フィラメント不良検出回路１０８から出力された充電電圧ＶC8の電圧が基準電圧ＶrefEを越え、コンパレータ１０５から信号ＶELがハイレベルで出力された場合であっても、インバータ制御回路１０６によって放電灯ＦＬ１，ＦＬ２への電力供給が停止されることはない。
【００５９】
次に、放電灯ＦＬ１，ＦＬ２へ電力が供給され、放電灯ＦＬ１，ＦＬ２が点灯すると、放電灯ＦＬ１，ＦＬ２のインピーダンスは低下する。フィラメント不良検出回路１０８を構成する抵抗Ｒ６，Ｒ７，Ｒ８，Ｒ９，Ｒ１０は、共振負荷回路に影響が無いように数十kΩ〜数百kΩで構成される。したがって、放電灯ＦＬ１，ＦＬ２が点灯すると抵抗Ｒ７、Ｒ９、Ｒ１０の分圧比が著しく低下し、コンデンサＣ８には電圧がほとんど発生しないので、電灯ＦＬ１，ＦＬ２の点灯状態が維持される。
【００６０】
次に、電源投入時にフィラメントＦ１が断線もしくは極（１）や極（２）が接続不良の場合の動作を説明する。
【００６１】
この場合、無負荷検出回路１０９においては、電源部１０２から直流電圧ＶｄｃをコンデンサＣ１０へ供給する直流バイアス経路が遮断されるため、コンデンサＣ１０は充電されず、従って充電電圧ＶC10はＶrefN以下となる。そうすると、コンパレータ１０４から信号ＶNLがローレベルで出力され、インバータ制御回路１０６によるトランジスタＱ１，Ｑ２のオン、オフ動作が開始されず、放電灯ＦＬ１，ＦＬ２が点灯されない。
【００６２】
次に、電源投入時にフィラメントＦ４が断線もしくは極（５）や極（６）が接続不良の場合の動作を説明する。
【００６３】
この場合、無負荷検出回路１１３において、抵抗Ｒ１６，Ｒ１７と並列に接続された極（５）、フィラメントＦ４、及び極（６）における抵抗値が増大するため、電源部１０２から出力された直流電圧Ｖｄｃによって、抵抗Ｒ１５，Ｒ１６を介してトランジスタＱ３へベース電流が十分に供給されＱ３がオンする。そうすると、抵抗Ｒ１８は、トランジスタＱ３及び抵抗Ｒ１８の直列回路と並列に接続されている抵抗Ｒ１４の分圧比を著しく低下させる抵抗値に設定されているため、コンデンサＣ１０の充電電圧ＶC10が基準電圧ＶrefN以下となる。そうすると、コンパレータ１０４から信号ＶNLがローレベルで出力され、インバータ制御回路１０６によるトランジスタＱ１，Ｑ２のオン、オフ動作が開始されず、放電灯ＦＬ１，ＦＬ２が点灯されない。
【００６４】
次に、電源投入時にフィラメントＦ２，Ｆ３が断線もしくは極（３）、極（４）、及び接続部（７）が接続不良の場合の動作を説明する。
【００６５】
この場合、無負荷検出回路１０９において、電源部１０２から直流電圧ＶｄｃをコンデンサＣ１０へ供給する直流バイアス経路が遮断されるため、コンデンサＣ１０は充電されず、従って充電電圧ＶC10はＶrefN以下となる。そうすると、コンパレータ１０４から信号ＶNLがローレベルで出力され、インバータ制御回路１０６によるトランジスタＱ１，Ｑ２のオン、オフ動作が開始されず、放電灯ＦＬ１，ＦＬ２が点灯されない。
【００６６】
この場合、仮に、フィラメント不良検出回路１０８において、直流電圧源１１５ではなく電源部１０２からの直流電圧Ｖｄｃによって、抵抗Ｒ６、Ｒ７と抵抗Ｒ８、Ｒ９を介してコンデンサＣ８が所定電圧値まで充電される構成となっていた場合には、無負荷検出回路１０９において、電源部１０２から、抵抗Ｒ８、Ｒ９、Ｒ７、Ｒ１３、ダイオードＤ４を経由する経路や、抵抗Ｒ６から二次巻線１１１、抵抗Ｒ１３、ダイオードＤ４を経由する経路によってコンデンサＣ１０が充電され、充電電圧ＶC10がＶrefNを超え、コンパレータ１０４から信号ＶNLがハイレベルで出力され、インバータ制御回路１０６によるトランジスタＱ１，Ｑ２のオン、オフ動作が開始され、放電灯ＦＬ１，ＦＬ２の点灯動作が開始される結果、図４に示す無負共振特性に近づこうとするため、放電灯ＦＬ１，ＦＬ２への印加電圧が上昇し、放電灯点灯装置５内の各回路部における電圧ストレスが増大することが考えられる。
【００６７】
しかし、フィラメント不良検出回路１０８においては、インバータ動作の開始前には、ほとんど出力電圧を発生しない直流電圧源１１５からの直流電圧Ｅによって、抵抗Ｒ６、Ｒ７と抵抗Ｒ８、Ｒ９を介してコンデンサＣ８が所定電圧値まで充電される構成となっている。従って、直流電圧源１１５から上記抵抗Ｒ８、Ｒ９、Ｒ７、Ｒ１３、ダイオードＤ４を経由する経路や、抵抗Ｒ６から二次巻線１１１、抵抗Ｒ１３、ダイオードＤ４を経由する経路からコンデンサＣ１０が充電されることがなく、放電灯ＦＬ１，ＦＬ２が点灯されない。
【００６８】
以上のように、電源投入時において、直列に接続されているフィラメントＦ２，Ｆ３、極（３）、極（４）、及び接続部（７）の不良を含め、放電灯ＦＬ１，ＦＬ２における接続箇所の不良やフィラメント断線を、すべての箇所において検知し、放電灯ＦＬ１，ＦＬ２の点灯を開始させないようにすることができる。
【００６９】
次に、通常点灯時（マスク期間経過後）において、極（１）が接続不良となった場合の動作を説明する。
【００７０】
この場合、共振負荷回路を流れるランプ電流は、トランスＴ１からコンデンサＣ３、二次巻線１１０、極（２）、フィラメントＦ１、放電灯ＦＬ１、フィラメントＦ２、接続部（７）、フィラメントＦ３、放電灯ＦＬ２、フィラメントＦ４、及び極（６）を経由してグラウンドに至る経路で流れる。この場合、無負荷検出回路１０９におけるＲ１２と、コンデンサＣ２との接続部分には高周波電圧が継続して発生しているため、コンデンサＣ１０は通常点灯時の電位を保持する。従って、充電電圧ＶC10が基準電圧ＶrefNを超え、コンパレータ１０４の出力信号信号ＶNLはハイレベルとなるので、極（１）の接続不良は、無負荷検出回路１０９によっては検出されない。
【００７１】
一方、ＤＣ検出回路１１４においては、この場合、コンデンサＣ３と放電灯ＦＬ１，ＦＬ２との直列回路構成部分に対して並列に、ＤＣ検出回路１１４と無負荷検出回路１０９とが構成される形（Ｒ１１は除く）となる。この合成インピーダンスをＺ１とすると、コンデンサＣ１とコンデンサＣ３にはコンデンサＣ１の直流成分電圧を抵抗Ｒ５とインピーダンスＺ１で分圧した電圧がそれぞれに分担される。この結果、コンデンサＣ３と放電灯ＦＬ１，ＦＬ２の直列構成部分には直流成分電圧が発生するため、ＤＣ検出回路１１４にも直流成分電圧が発生する。従って、コンデンサＣ７の充電電圧ＶC8は、基準電圧ＶrefEを超え、コンパレータ１０５及びインバータ制御回路１０６によって、インバータ動作が発振停止され、放電灯ＦＬ１，ＦＬ２への電力供給がなくなり、放電灯ＦＬ１，ＦＬ２が消灯される。
【００７２】
次に、通常点灯時（マスク期間後）に極（２）が接続不良となった場合の動作を説明する。
【００７３】
極（２）が接続不良となった場合の共振負荷回路を流れるランプ電流経路は、正常時におけるランプ電流経路（トランスＴ１、極（１）、放電灯ＦＬ１、ＦＬ２）と変わらないものの、正常時においてＤＣ検出回路１１６における抵抗Ｒ３，Ｒ４と並列に接続されていた放電灯ＦＬ１、ＦＬ２が極（２）によって分離され、また、抵抗Ｒ１１，Ｒ３の接続点から二次巻線１１０を介して放電灯ＦＬ１、ＦＬ２に至る電流経路はコンデンサＣ３により直流的に分離されているため、抵抗Ｒ１１，Ｒ３，Ｒ４の分圧比が放電灯ＦＬ１、ＦＬ２のインピーダンスに影響されなくなる。従って、抵抗Ｒ１１，Ｒ３，Ｒ４の分圧比で決まる電圧によってコンデンサＣ９が充電され、コンデンサＣ９の充電電圧ＶC8は、基準電圧ＶrefEを超えるため、コンパレータ１０５及びインバータ制御回路１０６によって、インバータ動作が発振停止され、放電灯ＦＬ１，ＦＬ２への電力供給がなくなり、放電灯ＦＬ１，ＦＬ２が消灯される。
【００７４】
次に、通常点灯時（マスク期間後）にフィラメントＦ１が断線した場合は、上述した極（１）の接続不良モードもしくは極（２）の接続不良モードの場合と同様の検出機能が働き、インバータ制御回路１０６によって、インバータ動作が発振停止され、放電灯ＦＬ１，ＦＬ２への電力供給がなくなり、放電灯ＦＬ１，ＦＬ２が消灯される。
【００７５】
次に、通常点灯中（マスク期間後）にフィラメントＦ４が断線したや極（５）や極（６）が接続不良の場合は、上述の電源投入時にフィラメントＦ４が断線もしくは極（５）や極（６）が接続不良の場合と同様に、無負荷検出回路１１３によって上記断線や接続不良が検知され、インバータ動作が発振停止されて放電灯ＦＬ１，ＦＬ２が消灯される。
【００７６】
次に、通常点灯時（マスク期間後）に極（３）もしくは極（７）が接続不良の場合の動作を説明する。極（３）が接続不良の場合は、放電灯ＦＬ１，ＦＬ２を流れるランプ電流の経路は変化せず接続部（７）を流れる。そうすると、フィラメント不良検出回路１０８において、直流電圧源１１５から抵抗Ｒ６、二次巻線１１１、抵抗Ｒ７を経由して、抵抗Ｒ１０とコンデンサＣ８との並列回路に至る電流経路では、抵抗Ｒ７，Ｒ１０の直列構成に対して放電灯ＦＬ２が並列に存在するためコンデンサＣ８の充電電圧はほとんど発生しない。一方、直流電圧源１１５から抵抗Ｒ８，Ｒ９を経由して、抵抗Ｒ１０とコンデンサＣ８との並列回路に至る電流経路では、抵抗Ｒ９，Ｒ１０の直列構成に対して放電灯が並列接続されない（コンデンサＣ４により、抵抗Ｒ９，Ｒ１０の直列回路が放電灯と分離されている）。従って、コンデンサＣ８は、直流電圧Ｅを抵抗Ｒ８，Ｒ９，Ｒ１０で分圧した直流電圧で充電され、コンデンサＣ８の充電電圧ＶC8は、基準電圧ＶrefEを超えるため、コンパレータ１０５及びインバータ制御回路１０６によって、インバータ動作が発振停止され、放電灯ＦＬ１，ＦＬ２への電力供給がなくなり、放電灯ＦＬ１，ＦＬ２が消灯される。
【００７７】
一方、極（７）が接続不良の場合は、放電灯ＦＬ１から極（７）を経由して放電灯ＦＬ２に至るランプ電流の経路が断たれるため、ランプ電流の経路は変化し、放電灯ＦＬ１、極（３）、コンデンサＣ４、二次巻線１１１、及び極（４）を経由して放電灯ＦＬ２に至る電流経路となる。この場合、フィラメント不良検出回路１０８における抵抗Ｒ９，Ｒ１０の直列構成部分には放電灯が並列接続されず、低インピーダンス要素の接続がないため、コンデンサＣ８は、直流電圧Ｅを抵抗Ｒ８，Ｒ９，Ｒ１０で分圧した直流電圧で充電され、コンデンサＣ８の充電電圧ＶC8は、基準電圧ＶrefEを超えるため、コンパレータ１０５及びインバータ制御回路１０６によって、インバータ動作が発振停止され、放電灯ＦＬ１，ＦＬ２への電力供給がなくなり、放電灯ＦＬ１，ＦＬ２が消灯される。
【００７８】
次に、通常点灯時（マスク期間後）に極（４）が接続不良の場合の動作を説明する。極（４）が接続不良の場合は放電灯ＦＬ１，ＦＬ２におけるランプ電流の経路は変化せず接続部（７）を流れる。この場合、フィラメント不良検出回路１０８において、抵抗Ｒ９，Ｒ１０の直列構成に対して放電灯ＦＬ２が並列に存在するため、コンデンサＣ８の充電電圧はほとんど発生しない。一方、抵抗Ｒ７，Ｒ１０の直列構成に対しては放電灯が並列接続されず、低インピーダンス要素の接続が無い（コンデンサＣ４により、抵抗Ｒ７，Ｒ１０の直列回路が放電灯と分離されている）ため、コンデンサＣ８は、直流電圧Ｅを抵抗Ｒ６，Ｒ７，Ｒ１０で分圧した直流電圧で充電され、コンデンサＣ８の充電電圧ＶC8は、基準電圧ＶrefEを超えるため、コンパレータ１０５及びインバータ制御回路１０６によって、インバータ動作が発振停止され、放電灯ＦＬ１，ＦＬ２への電力供給がなくなり、放電灯ＦＬ１，ＦＬ２が消灯される。
【００７９】
次に、通常点灯時（マスク期間後）にフィラメントＦ２やフィラメントＦ３が断線した場合は、上述した極（３）もしくは極（７）の接続不良モードもしくは極（４）の接続不良モードの場合と同様に、フィラメント不良検出回路１０８が動作し、インバータ動作が発振停止されて放電灯ＦＬ１，ＦＬ２が消灯される。
【００８０】
以上のように、図２に示す放電灯点灯装置５及びこれを用いた照明器具１は、例えば電源投入時や負荷再装着時において、直列に接続されているフィラメントＦ２，Ｆ３、極（３）、極（４）、及び接続部（７）の不良を含め、放電灯ＦＬ１，ＦＬ２における極（１）〜（６）、接続部（７）の接続箇所の不良やフィラメントＦ１〜Ｆ４の断線を、すべての箇所において検知し、電源投入時においては放電灯ＦＬ１，ＦＬ２の点灯を開始させないようにすると共に、負荷再装着時等においては放電灯ＦＬ１，ＦＬ２への電力供給を停止させることができる。さらに、通常点灯時においても、放電灯ＦＬ１，ＦＬ２へ接続される端子、配線等の接続不良や、フィラメント断線等の不良を検出することができるため、アーク発生モードに至ることなくこれらの不良を検出し、放電灯ＦＬ１，ＦＬ２を消灯させることができる。
【００８１】
これにより、端子等の接続箇所の不良やフィラメント断線不良時に、放電灯ＦＬ１，ＦＬ２を点灯させようとしてトランジスタＱ１，Ｑ２等、回路の各部への電圧ストレスを増大させてしまうことが低減される。また、ユーザが放電灯ＦＬ１，ＦＬ２の取り付け途中で、極（１），（２）が接続され、まだ極（３）、極（４）、及び接続部（７）の接続を完了していない状態においては、放電灯ＦＬ１，ＦＬ２の点灯が開始されないため、ユーザに不安感を与えることが低減される。
【００８２】
また、図１１に示す背景技術に係る放電灯点灯装置と比較して、図２に示す本発明に係る放電灯点灯装置５では、ほとんど追加部品を必要としないので、コストの上昇を抑制しつつ図１１に示す放電灯点灯装置の課題を解決することができる。
【００８３】
また、電源投入時に過渡的に放電灯ＦＬ１，ＦＬ２に印加される電圧が上昇し、フィラメント不良検出回路１０８及び検出回路１１４，１１６のうちいずれかの検出回路から出力された充電電圧ＶC8が、基準電圧ＶrefEを超える場合が考えられるが、制御回路部１０３はマスク期間を有しているので、このような電源投入時の過渡的な電圧上昇によって、放電灯ＦＬ１，ＦＬ２を点灯させなくすることを低減することができる。
【００８４】
なお、放電灯が２灯直列の場合を例に説明したが、３灯以上の放電灯が直列接続されても良い。この場合、放電灯同士が直列接続されている接続部分に、それぞれフィラメント不良検出回路１０８及び無負荷検出回路１０９と同様の回路を備えればよい。
【００８５】
（第２実施形態）
次に、本発明の第２の実施の形態による放電灯点灯装置について説明する。図５は、本発明の第２の実施の形態による放電灯点灯装置の構成の一例を示す回路図である。
【００８６】
図５に示す放電灯点灯装置５ａと図１に示す放電灯点灯装置５とでは、下記の点で異なる。すなわち、図５に示す放電灯点灯装置５ａでは、放電灯点灯装置５における抵抗Ｒ５の代わりに抵抗Ｒ５とダイオードＤ５との直列回路が、コンデンサＣ１と並列接続されている。また、トランジスタＱ２のドレイン、抵抗Ｒ５、及びコンデンサＣ１の接続点が、フィラメント不良検出回路１０８における抵抗Ｒ６，Ｒ８と接続されている。そして、トランジスタＱ２、抵抗Ｒ５、ダイオードＤ５及びコンデンサＣ１によって直流電圧源１１５ａが構成されている。すなわち、トランジスタＱ２のドレイン、抵抗Ｒ５、及びコンデンサＣ１との接続点に生じた電圧が、直流電圧Ｅとして用いられる。
【００８７】
その他の構成は図１に示す放電灯点灯装置５と同様であるのでその説明を省略し、以下本実施の形態の動作について説明する。
【００８８】
まず、放電灯点灯装置５ａにおける放電灯ＦＬ１，ＦＬ２を点灯させる動作や、接続不良等の不良を検出して放電灯を点灯させない、あるいは消灯させる動作は、図２に示す放電灯点灯装置５と同様であるので、その説明を省略する。
【００８９】
次に、直流電圧源１１５ａの動作について説明する。まず、インバータ制御回路１０６によって、トランジスタＱ１，Ｑ２によるインバータ動作が開始される前の状態では、トランジスタＱ１，Ｑ２は、いずれもオフであり、等価的にはいずれも微小な容量成分を保持し、トランジスタＱ２側の両端電圧はほとんど０Ｖとなっている。そして、直流電圧ＶｄｃのほとんどはトランジスタＱ１に印加される。従って、トランジスタＱ１，Ｑ２によるインバータ動作が開始される前、すなわち放電灯ＦＬ１，ＦＬ２を発光させるための電力供給が開始される前の状態では、直流電圧源１１５ａの出力する直流電圧Ｅは、ほぼ０Ｖとなる。
【００９０】
図６は、トランジスタＱ１，Ｑ２によるインバータ動作が開始される前における放電灯点灯装置５ａの直流等価回路を示す図である。図６において、各検出回路毎の合成インピーダンスを、ブロックで示している。トランスＴ１は理想的には直流抵抗は０Ω、コンデンサＣ２は理想的には直流抵抗は無限大のため省略している。また各放電灯ＦＬ１，ＦＬ２への配線は正常に接続されていることを前提としている。この場合トランジスタＱ２には、並列的にＤＣ検出回路１１４のインピーダンスが接続され、さらに抵抗Ｒ５とダイオードＤ５を介してフィラメント不良検出回路１０８、無負荷検出回路１０９、無負荷検出回路１１３、及びＤＣ検出回路１１６の並列回路が接続されている。
【００９１】
一方、トランジスタＱ１に対しては、抵抗Ｒ１１はダイオードＤ５により直流的に切り離され、インピーダンスは接続されていない。従って、トランジスタＱ１とＱ２との容量分担比はトランジスタＱ１に、ほとんど全て配分される。よって、トランジスタＱ２のドレイン端子はほぼ０Ｖとなる。
【００９２】
また、通常動作時においてコンデンサＣ１には、図５に示す矢印１１７の方向で電圧が印加される。また、抵抗Ｒ５は、数十kΩ〜数百kΩとされている。このためダイオードＤ５には通常動作中ほとんど電流が流れないうえ、逆バイアスも印加されない、また過渡的な共振電圧も印加されないため、ダイオードＤ５はリカバリー特性の高速なダイオードを必要としない。また、フィラメント不良検出回路１０８は、不良を検出するために大きな電流を必要としないので、ダイオードＤ５の電流容量を低減することができ、従って、安価なダイオードをダイオードＤ５として用いることができる。
【００９３】
これにより、直流電圧源１１５ａは、図２に示す直流電圧源１１５と同様に機能するので、図５に示す放電灯点灯装置５ａおよびこれを用いた照明器具は、図２に示す放電灯点灯装置５と同様の効果を奏することができる。
【００９４】
（第３実施形態）
次に、本発明の第３の実施の形態による放電灯点灯装置について説明する。図７は、本発明の第３の実施の形態による放電灯点灯装置の構成の一例を示す回路図である。
【００９５】
図７に示す放電灯点灯装置５ｂと図５に示す放電灯点灯装置５ａとでは、下記の点で異なる。すなわち、図７に示す放電灯点灯装置５ｂでは、トランジスタＱ２と並列に、直流成分カット用コンデンサＣ６、予熱用トランスＴ２、及びトランジスタＱ４の直列回路からなる予熱カット回路１１８が接続されている。また、トランスＴ１は、二次巻線１１０，１１１，１１２を備えず、トランスＴ２が二次巻線１１０，１１１，１１２を備えている。そして、インバータ制御回路１０６ａは、トランジスタＱ１，Ｑ２に加えて、トランジスタＱ４のオン、オフを制御する。駆動回路１０７ａは、インバータ制御回路１０６ａからの制御信号に応じて、トランジスタＱ１，Ｑ２，Ｑ４をオン、オフさせる。
【００９６】
その他の構成は図５に示す放電灯点灯装置５ａと同様であるのでその説明を省略し、以下本実施の形態の動作について説明する。
【００９７】
まず、放電灯点灯装置５ｂにおける放電灯ＦＬ１，ＦＬ２を点灯させる動作や、接続不良等の不良を検出して放電灯を点灯させない、あるいは消灯させる動作は、図５に示す放電灯点灯装置５ａと同様であるので、その説明を省略する。
【００９８】
図７に示す放電灯点灯装置５ｂは、フィラメントＦ１，Ｆ２，Ｆ３，Ｆ４の予熱動作が異なる。まず、インバータ制御回路１０６ａによって、電源投入後から先行予熱の開始までの期間、及び先行予熱モードの期間、トランジスタＱ４をオンさせる。これにより、予熱カット回路１１８に電流が流れ、トランスＴ２の二次巻線１１０，１１１，１１２から、それぞれＣ３、Ｃ４、Ｃ５を介してフィラメントＦ１、フィラメントＦ２，Ｆ３、フィラメントＦ４を加熱するための先行予熱電流が流れ、フィラメントＦ１，Ｆ２，Ｆ３，Ｆ４が先行予熱される。
【００９９】
そして、始動モード時、及び通常点灯状態においては、インバータ制御回路１０６ａによって、トランジスタＱ４はオフされ、予熱カット回路１１８に電流が流れなくなり、フィラメントＦ１，Ｆ２，Ｆ３，Ｆ４の常時予熱電流がカットされる。これにより、放電灯点灯装置５ｂにおける電力損失を低減できる。
【０１００】
（第４実施形態）
次に、本発明の第４の実施の形態による放電灯点灯装置について説明する。図８は、本発明の第４の実施の形態による放電灯点灯装置の構成の一例を示す回路図である。
【０１０１】
図８に示す放電灯点灯装置５ｃと図７に示す放電灯点灯装置５ｂとでは、下記の点で異なる。すなわち、図８に示す放電灯点灯装置５ｃでは、トランジスタＱ２のドレインと、抵抗Ｒ５と、コンデンサＣ１との接続点の代わりに、コンデンサＣ６とトランスＴ２との接続点が、フィラメント不良検出回路１０８における抵抗Ｒ６，Ｒ８と接続されている。そして、トランジスタＱ２及び予熱カット回路１１８が、直流電圧源１１５ｂとして機能し、コンデンサＣ６とトランスＴ２との接続点に生じた電圧が、直流電圧Ｅとして用いられる。また、放電灯点灯装置５ｃは、ダイオードＤ５を備えない。
【０１０２】
その他の構成は図７に示す放電灯点灯装置５ｂと同様であるのでその説明を省略し、以下本実施の形態の動作について説明する。
【０１０３】
まず、放電灯点灯装置５ｃにおける放電灯ＦＬ１，ＦＬ２を点灯させる動作や、接続不良等の不良を検出して放電灯を点灯させない、あるいは消灯させる動作、及びフィラメントの予熱動作は、図７に示す放電灯点灯装置５ｂと同様であるので、その説明を省略する。
【０１０４】
次に、直流電圧源１１５ｂの動作について説明する。まず、電源投入時は、インバータ制御回路１０６ａによってトランジスタＱ４がオンされるので、直流電圧Ｅは、トランジスタＱ４及びトランスＴ２を介してグラウンド電位にされ、ほぼ０Ｖとなる。また通常動作時は、インバータ制御回路１０６ａによってトランジスタＱ４がオフされるので、直流電圧Ｅとして、ほぼトランジスタＱ２の両端電圧が印加される（直流電圧Ｖｄｃをピークとするパルス状電圧）。従って、直流電圧源１１５ｂは、インバータ制御回路１０６ａによってトランジスタＱ１，Ｑ２のインバータ動作が開始され、放電灯ＦＬ１，ＦＬ２を点灯させるための電力供給が開始された後に直流電圧Ｅの出力を開始する。
【０１０５】
これにより、直流電圧源１１５ｂは、図７に示す直流電圧源１１５ａと同様に機能するので、図８に示す放電灯点灯装置５ｃおよびこれを用いた照明器具は、図７に示す放電灯点灯装置５と同様の効果を奏することができる。また、図７に示す放電灯点灯装置５と比較して、ダイオードＤ５を削除することができ、回路を簡素化、低コスト化することができる。なお、直流電圧源１１５ｂは、トランスＴ２とトランジスタＱ４との接続点に生じた電圧を直流電圧Ｅとして供給する構成としても、同様の効果が得られる。
【０１０６】
（第５実施形態）
次に、本発明の第５の実施の形態による放電灯点灯装置について説明する。図９は、本発明の第５の実施の形態による放電灯点灯装置の構成の一例を示す回路図である。
【０１０７】
図９に示す放電灯点灯装置５ｄと図１に示す放電灯点灯装置５とでは、下記の点で異なる。すなわち、図９に示す放電灯点灯装置５ｄでは、トランスＴ１は、二次巻線１１０，１１１，１１２に加えて直流電圧Ｅ供給用の二次巻線１１９を備える。そして、二次巻線１１９の一端が、グラウンドに接続され、他端が、整流用ダイオードＤ６と抵抗Ｒ１９とを介してフィラメント不良検出回路１０８における抵抗Ｒ６，Ｒ８と接続されている。そして、二次巻線１１９、ダイオードＤ６、及び抵抗Ｒ１９によって直流電圧源１１５ｃが構成されている。すなわち、二次巻線１１９の出力電圧が、トランジスタＱ２のドレイン、と抵抗Ｒ５とコンデンサＣ１との接続点に生じた電圧が、ダイオードＤ６、及び抵抗Ｒ１９を介して直流電圧Ｅとして用いられる。
【０１０８】
その他の構成は図１に示す放電灯点灯装置５と同様であるのでその説明を省略し、以下本実施の形態の動作について説明する。
【０１０９】
まず、放電灯点灯装置５ｄにおける放電灯ＦＬ１，ＦＬ２を点灯させる動作や、接続不良等の不良を検出して放電灯を点灯させない、あるいは消灯させる動作は、図２に示す放電灯点灯装置５と同様であるので、その説明を省略する。
【０１１０】
次に、直流電圧源１１５ｃの動作について説明する。まず、インバータ制御回路１０６ａによってトランジスタＱ１，Ｑ２のインバータ動作が開始され、放電灯ＦＬ１，ＦＬ２を点灯させるための電力供給が開始される前は、トランスＴ１に電流が流れないので二次巻線１１９には電圧が発生しない。そして、インバータ動作が開始後に直流電圧Ｅが出力される。これにより、直流電圧源１１５ｃは、図２に示す直流電圧源１１５と同様に機能するので、図９に示す放電灯点灯装置５ｄ及びこれを用いた照明器具は、図２に示す放電灯点灯装置５と同様の効果を奏することができる。
【０１１１】
（第６実施形態）
次に、本発明の第６の実施の形態による放電灯点灯装置について説明する。図１０は、本発明の第６の実施の形態による放電灯点灯装置の構成の一例を示す回路図である。
【０１１２】
図１０に示す放電灯点灯装置５ｅと図５に示す放電灯点灯装置５ａとでは、下記の点で異なる。すなわち、図１０に示す放電灯点灯装置５ｅは、図５に示す放電灯点灯装置５ａにおいて、フィラメント不良検出回路１０８の抵抗Ｒ７，Ｒ１０の部分と、無負荷検出回路１０９の抵抗Ｒ１３を一部共通化した例である。図１０に示す放電灯点灯装置５ｅでは、トランスＴ１は、二次巻線１１０，１１１，１１２に加えて二次巻線１２０を備える。
【０１１３】
そして、二次巻線１２０の一端が、グラウンドに接続され、他端が、ダイオードＤ７と抵抗Ｒ２０とを介して無負荷検出回路１０９ａにおけるダイオードＤ４のカソードと抵抗Ｒ４との接続点に、接続されている。また、無負荷検出回路１０９ａは、ツェナーダイオードＺＤ１の代わりにコンデンサＣ１２を備え、抵抗Ｒ１３とコンデンサＣ１２との接続点は、ダイオードＤ８を介してコンパレータ１０５に接続されている。
【０１１４】
その他の構成は図５に示す放電灯点灯装置５ａと同様であるのでその説明を省略し、以下本実施の形態の動作について説明する。
【０１１５】
まず、放電灯点灯装置５ｅにおける放電灯ＦＬ１，ＦＬ２を点灯させる動作や、接続不良等の不良を検出して放電灯を点灯させない、あるいは消灯させる動作は、図５に示す放電灯点灯装置５ａと同様であるので、その説明を省略する。
【０１１６】
放電灯点灯装置５ｅにおいて、無負荷検出回路１０９の抵抗Ｒ１３とコンデンサＣ１２との直列回路は、放電灯ＦＬ２と並列に接続されているので、放電灯ＦＬ１，ＦＬ２が点灯後は、コンデンサＣ１２に印加される電圧にはＤＣ成分がなく、コンデンサＣ１２の充電電圧はほぼ０Ｖとなる。一方、インバータ制御回路１０６によってトランジスタＱ１，Ｑ２のインバータ動作が開始され、トランスＴ１に電流が流れると、二次巻線１２０から出力された電圧がダイオードＤ７で整流され、コンデンサＣ１０が充電される。これにより、コンパレータ１０４に印加される充電電圧ＶC10が基準電圧ＶrefNを超えるレベルに維持され、インバータ動作が継続される。
【０１１７】
次に、接点（４）が接続不良の場合は、直流電圧源１１５ａから、抵抗Ｒ６、二次巻線１１１、抵抗Ｒ１３、ダイオードＤ４、及び抵抗Ｒ１４を介してグラウンドに至る経路に電流が流れることにより、直流電圧Ｅが抵抗Ｒ６，Ｒ１３，Ｒ１４によって分圧される。そして、その分圧電圧によってコンデンサＣ１２が充電され、その充電電圧ＶC8がＶrefEを超える結果、コンパレータ１０５の出力信号ＶELがハイレベルでインバータ制御回路１０６へ出力される。そして、インバータ制御回路１０６によって、インバータ動作が停止され、放電灯ＦＬ１，ＦＬ２への電力供給が停止され、放電灯ＦＬ１，ＦＬ２が消灯される。
【０１１８】
これにより、図１０に示す放電灯点灯装置５ｅ及びこれを用いた照明器具は、図２に示す放電灯点灯装置５と同様の効果を奏することができる。
【図面の簡単な説明】
【０１１９】
【図１】本発明の第１の実施形態に係る照明器具の外観の一例を示す斜視図である。
【図２】図１に示す放電灯点灯装置の構成の一例を示す回路図である。
【図３】図２に示す放電灯点灯装置の動作を説明するための図である。
【図４】図２に示す放電灯点灯装置の動作を説明するための図である。
【図５】本発明の第２の実施形態に係る放電灯点灯装置の構成の一例を示す回路図である。
【図６】インバータ動作が開始される前における放電灯点灯装置の直流等価回路を示す図である。
【図７】本発明の第３の実施の形態による放電灯点灯装置の構成の一例を示す回路図である。
【図８】本発明の第４の実施の形態による放電灯点灯装置の構成の一例を示す回路図である。
【図９】本発明の第５の実施の形態による放電灯点灯装置の構成の一例を示す回路図である。
【図１０】本発明の第６の実施の形態による放電灯点灯装置の構成の一例を示す回路図である。
【図１１】背景技術に係る放電灯点灯装置の構成を示す回路図である。
【符号の説明】
【０１２０】
１    照明器具
２    照明器具本体
４ａ，４ｂ，４ｃ，４ｄ  コネクタ
５，５ａ，５ｂ，５ｃ，５ｄ，５ｅ  放電灯点灯装置
１０１      電源コネクタ
１０２      電源部（直流電圧源）
１０３      制御回路部
１０４，１０５  コンパレータ
１０６，１０６ａ  インバータ制御回路（第１，第２の制御部、予熱制御部）
１０７，１０７ａ  駆動回路
１０８      フィラメント不良検出回路
１０９，１０９ａ  無負荷検出回路（無負荷検出部）
１１０      二次巻線
１１１      二次巻線（第１の二次巻線）
１１２      二次巻線
１１３      無負荷検出回路
１１４，１１６  ＤＣ検出回路
１１５，１１５ａ，１１５ｂ，１１５ｃ  直流電圧源（検出用電圧源）
１１８  予熱カット回路
１１９  二次巻線（第２の二次巻線）
１２０  二次巻線（第３の二次巻線）
Ｃ１  コンデンサ（第５のコンデンサ）
Ｃ１０  コンデンサ（第１のコンデンサ）
Ｃ４  コンデンサ（第４，第６のコンデンサ）
Ｃ６  コンデンサ（第３のコンデンサ）
Ｃ８  コンデンサ（第２のコンデンサ）
Ｄ１，Ｄ２，Ｄ３，Ｄ４，Ｄ５，Ｄ６，Ｄ７，Ｄ８  ダイオード
Ｆ１，Ｆ２，Ｆ３，Ｆ４  フィラメント
ＦＬ１，ＦＬ２  放電灯
Ｑ１  トランジスタ（第１のスイッチング素子）
Ｑ２  トランジスタ（第２のスイッチング素子）
Ｑ３  トランジスタ
Ｑ４  トランジスタ（第３のスイッチング素子）
Ｒ１２      抵抗（第１の抵抗）
Ｒ７  抵抗（第５の抵抗）
Ｒ８  抵抗（第２の抵抗）
Ｒ９  抵抗（第３の抵抗）
Ｒ１０      抵抗（第４の抵抗）
Ｔ１  トランス（第２のトランス）
Ｔ２  トランス（第１のトランス）
ＺＤ１  ツェナーダイオード
【図１】
2005222893.tif 000003
【図２】
2005222893.tif 000004
【図３】
2005222893.tif 000005
【図４】
2005222893.tif 000006
【図５】
2005222893.tif 000007
【図６】
2005222893.tif 000008
【図７】
2005222893.tif 000009
【図８】
2005222893.tif 000010
【図９】
2005222893.tif 000011
【図１０】
2005222893.tif 000012
【図１１】
2005222893.tif 000013